(57)【要約】【課題】内視鏡の洗滌及び消毒を行う際、内視鏡洗滌消毒装置にセットされた内視鏡の各種チャンネルに洗浄液等を供給する接続管を確実に密着状態にして、洗浄液等を各種チャンネルへ供給することができる内視鏡洗滌消毒装置を提供する。【解決手段】内視鏡洗滌消毒装置は、少なくとも洗滌液が供給される接続管２０１と、洗滌槽４内にセットされた内視鏡１０１のチャンネル口１０３ａの方向に、接続管２０１を移動させる移動機構２０３と、接続管２０１とチャンネル口１０３ａとの間をシールするためのシール部材であって、所定の電圧を印加することによって、接続管２０１とチャンネル口１０３ａとの間のシール状態と非シール状態とを形成可能な人工筋肉部材２１１とを有する。【選択図】図６
2006006565.tif 000002
【特許請求の範囲】
【請求項１】
洗滌槽内にセットされた内視鏡の洗滌及び消毒を行う内視鏡洗滌消毒装置であって、
少なくとも洗滌液が供給される接続管と、
前記洗滌槽内にセットされた前記内視鏡のチャンネル口の方向に、前記接続管を移動させる移動機構と、
前記接続管と前記チャンネル口との間をシールするためのシール部材であって、所定の電圧を印加することによって、前記接続管と前記チャンネル口との間のシール状態と非シール状態とを形成可能な第１の人工筋肉部材と、
を有することを特徴とする内視鏡洗滌消毒装置。
【請求項２】
前記第１の人工筋肉部材は、前記接続管の外周部に設けられたことを特徴とする請求項１に記載の内視鏡洗滌消毒装置。
【請求項３】
前記移動機構は、前記接続管に接続され、所定の電圧を印加することによって、前記接続管を移動させる第２の人工筋肉部材であることを特徴とするに請求項１又は請求項２に記載の内視鏡洗滌消毒装置。
【請求項４】
前記移動機構は、前記接続管に接続されたモータ駆動機構であることを特徴とするに請求項１又は請求項２に記載の内視鏡洗滌消毒装置。
【請求項５】
さらに、前記移動機構と、前記接続管の一部とは、密閉空間を形成する隔壁内に設けられていることを特徴とする請求項１から請求項４のいずれかに記載の内視鏡洗滌消毒装置。
【請求項６】
さらに、前記筐体の前記隔壁内に設けられた水漏れセンサを有することを特徴とする請求項４又は請求項５に記載の内視鏡洗滌消毒装置。
【請求項７】
さらに、前記筐体の前記隔壁内を加圧する加圧手段を有することを特徴とする請求項４から請求項６のいずれかに記載の内視鏡洗滌消毒装置。
【発明の詳細な説明】
【技術分野】
【０００１】
本発明は、内視鏡の洗滌及び消毒を行う内視鏡洗滌消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をしたりすることができる。
【０００３】
特に医療分野の内視鏡は、検査及び治療を目的として体腔内に挿入して使用されるものであるため、内視鏡を洗滌消毒することが必要である。内視鏡を洗滌消毒する場合、内視鏡洗滌消毒装置が使用される。内視鏡は、内視鏡洗滌消毒装置の洗滌槽内にセットされ、洗滌、消毒、濯ぎ及び水切りがされる。
【０００４】
また、内視鏡の内部には、送気送水管路、鉗子口など複数の管路を有している。これら管路すなわちチャンネル内は、十分に洗滌液及び消毒液が通過し、確実に洗滌及び消毒がされる必要がある。
【０００５】
このような、内視鏡及びその内部に有している各種チャンネルを洗滌及び消毒をする内視鏡洗滌消毒装置としては、例えば、特開平０９−２５３０２９号公報に提案されているものがある。
【特許文献１】特開平０９−２５３０２９号公報
【発明の開示】
【発明が解決しようとする課題】
【０００６】
しかしながら、その提案に係る内視鏡洗滌消毒装置においては、内視鏡洗滌消毒装置に内視鏡をセットする際、ユーザは、内視鏡の各種チャンネルに内視鏡洗滌消毒装置の複数の接続チューブを接続する煩わしい作業をしなければならない。さらに、内視鏡の各種チャンネルと複数の接続チューブの各々の接続部には、チャンネル内に流れる洗滌液等が所定の流速や流量を得るために、所定の接続強度が必要であり、内視鏡の各種チャンネルに対して洗滌液等が供給される接続チューブを確実に密着状態にしなければならないが、その接続は、ユーザの作業に委ねられる。
【０００７】
本発明は、以上の点に鑑みて成されたものであって、内視鏡の洗滌及び消毒を行う際、内視鏡洗滌消毒装置にセットされた内視鏡の各種チャンネルに洗浄液等を供給する接続管を確実に密着状態にして、洗浄液等を各種チャンネルへ供給することができる内視鏡洗滌消毒装置を提供することを目的としている。
【課題を解決するための手段】
【０００８】
本発明の内視鏡洗滌消毒装置は、洗滌槽内にセットされた内視鏡の洗滌及び消毒を行う内視鏡洗滌消毒装置であって、少なくとも洗滌液が供給される接続管と、前記洗滌槽内にセットされた前記内視鏡のチャンネル口の方向に、前記接続管を移動させる移動機構と、前記接続管と前記チャンネル口との間をシールするためのシール部材であって、所定の電圧を印加することによって、前記接続管と前記チャンネル口との間のシール状態と非シール状態とを形成可能な第１の人工筋肉部材とを有する。
【発明の効果】
【０００９】
本発明の内視鏡洗滌消毒装置によれば、セットされた内視鏡の各種チャンネルに洗浄液等を供給する接続管を確実に密着状態にして、洗浄液等を各種チャンネルへ供給することができる。
【発明を実施するための最良の形態】
【００１０】
（第１の実施の形態）  
図１から図１２を用いて、本発明の第１の実施の形態に係る内視鏡洗滌消毒装置を説明する。図１は、第１の実施の形態に係わる内視鏡洗滌消毒装置の斜視図である。図２は、内視鏡洗浄消毒装置１の構成を模式的に示す構成図である。図３は、管路自動接続ユニットの構成を説明するための部分斜視図である。図４は、内視鏡のチャンネル口と２つの接続管とを説明するための部分斜視図である。
【００１１】
内視鏡洗滌消毒装置１は、全体に略直方体形状をした装置本体２と、装置本体２の上面を覆うトップカバー３とを有する。洗滌槽カバーとしてのトップカバー３は、装置本体１の上面に対してヒンジ機構（図示せず）により開閉可能なように取り付けられている。装置本体２の上面には、内視鏡１０１を収納可能な洗滌消毒槽（以下、洗滌槽と略記）４が設けられている。洗滌槽４内に収納された内視鏡１０１は、トップカバー３が装置本体２の洗滌槽４を覆うように閉じられた状態において、後述する所定の洗滌消毒シーケンスに従って、洗滌と消毒が行われる。
【００１２】
内視鏡１０１は、可撓性を有する挿入部１０２と、操作部１０３とからなる。挿入部１０２は、曲げられて洗滌槽４内に収納される。具体的には、操作部１０３は、洗滌槽４内に設けられた複数のピン４ａの間に位置決めされてセットされる。位置決めされて収納された操作部１０３の近傍であって、装置本体２の外壁部に管路自動接続ユニット５が設けられている。
【００１３】
管路自動接続ユニット５は、洗浄液等が供給される接続管を、内視鏡１０１のチャンネル口に自動的に接続するための機構を有する。図４に示すようにチャンネル口１０３ａは、操作部１０３に設けられた内視鏡１０１の各種チャンネル１０４の開口部である。チャンネル口１０３ａに接続される接続管部材２０１には、洗滌液等が供給される。なお、管路自動接続ユニット５の構成は、後述する。
【００１４】
図２に示すように、装置本体２の上面に設けられた洗浄槽４の底面部には、複数の超音波振動子６が取り付けられている。これら超音波振動子６は、内視鏡１０１の洗浄消毒中の液体に超音波振動を与える振動発生手段である。洗浄槽４内において、内視鏡１０１を配置させない略中央の領域部には、内視鏡１０１に着脱される各種ボタンなどを入れるための洗浄ケース７が設けられている。また、洗浄槽４の底面部には、洗浄槽４内の液体を加熱するためのヒータ８が設けられている。
【００１５】
装置本体２の内部には、液体洗剤を貯留する洗剤タンク１１、所定濃度に希釈された消毒液を貯留する消毒液タンク１２、アルコールを貯留するアルコールタンク１３、水道栓８０から供給される水道水を濾過する水フィルタ１４、及びエアフィルタ１５が配設されている。消毒液タンク１２は装置本体２内に固定されており、また、洗剤タンク１１、アルコールタンク１３、水フィルタ１４、エアフィルタ１５は、各々トレー１１ａ，１３ａ〜１５ａに載置されている。各トレー１１ａ，１３ａ〜１５ａは、装置本体２の図示しない前面扉を開放することによって、前方へ引き出し自在にされており、所定に液体を補充、または、部品を交換することができる。また、水道栓８０は、洗浄槽４の底面部に設けられる給水管路消毒用コネクタ６Ａとも逆止弁６ａを介して連通されている。
【００１６】
一方、消毒液タンク１２は装置本体２内に固定されているため、この消毒液タンク１２への消毒液の補充は、装置本体２の前面扉を開放し、装置内部に固設されているボトルコネクタ１６に対して、消毒液が充填されている消毒液ボトル１７を接続することによって行う。また、その際、希釈弁１８を介して、水フィルタ１４によって濾過された水道水が消毒液タンク１２に供給される。この水道栓８０からの水道水は、給水弁１４Ａの内部の弁が開かれることにより水フィルタ１４に送り込まれる。従って、消毒液タンク１２には所定濃度に希釈された消毒液が貯留される。尚、図２においては、各トレー１１ａ，１３ａ〜１５ａが引き出された状態が示されている。
【００１７】
また、洗浄槽４の上縁側の角部に洗剤ノズル２２、消毒液ノズル２３、給水・循環ノズル２４が配設されている。洗剤ノズル２２は、洗剤タンク１１に洗剤ポンプ２７を介して連通されており、消毒液ノズル２３は薬液ポンプ２８を介して消毒液タンク１２に連通されている。更に、給水・循環ノズル２４は三方切替弁２９を介して水フィルタ１４と流液ポンプ３０とに選択的に連通自在にされている。給水・循環ノズル２４が三方切替弁２９を介して水フィルタ１４側に接続された状態において、給水・循環ノズル２４から水フィルタ１４によって濾過された水道水が吐出される。一方、給水・循環ノズル２４が三方切替弁２９を介して流液ポンプ３０に接続された状態において、収容凹部の外周壁面に設けられた循環口２１から取り入れた洗浄槽４内に貯留されている洗浄水または消毒水が吐出されて循環される。なお、図２には図示しないが給水・循環ノズル２４と三方切替弁２９との間に高圧ノズルが高圧ポンプを介して接続されており、この高圧ノズルからも給水・循環ノズル２４と同様の液体（水道水、洗浄水など）が高圧により噴出される。この高圧ノズル、及び給水・循環ノズル２４から吐出される液体により、洗浄槽４の収容凹部内に水流が発生し、この水流によって後述する内視鏡１０１の外表面が洗浄及び濯がれる。また、洗浄槽４の収容凹部の底面には、図示しない排水口が設けられている。
【００１８】
また、循環口２１は、四方切替弁であるＣＨ（チャンネル）ブロック３１と連通されており、この連通路には循環口２１から順に、ＣＨ（チャンネル）ポンプ３２と、洗浄水または消毒水をＣＨ（チャンネル）ポンプ３２側へ流れないようにするための逆止弁３３とが配設されている。このＣＨポンプ３２の駆動によって、収容凹部に貯留されている洗浄水または消毒水は、ＣＨブロック３１側に供給される。このＣＨブロック３１は、エアフィルタ１５ともエア逆止弁３５を介して連通している。このエア逆止弁３５は、エアフィルタ１５側に液体（水道水、洗浄水、消毒水）が流れないようにしている。エアフィルタ１５はコンプレッサ３４と連通しており、コンプレッサ３４からの圧縮空気がエアフィルタ１５を介してＣＨブロック３１側に吐出される。
【００１９】
更に、ＣＨブロック３１は、アルコールタンク１３とも連通しており、その途中にはアルコールタンク１３側からアルコールポンプ１３Ａ及びアルコール弁３６が設けられている。このアルコールタンク１３のアルコールがアルコールポンプ１３Ａによってアルコール弁３６を介してＣＨブロック３１に供給される。
【００２０】
上述した、ＣＨブロック３１に供給される液体（水道水、洗浄水、消毒水）は、各種工程毎にＣＨブロック３１とＣＨ（チャンネル）弁３８を介して、洗浄槽４の側壁に設けられた管路自動接続ユニット５に送り込まれる。  
また、管路自動接続ユニット５には、加圧弁４０を介してコンプレッサ３４からの空気が供給される。
【００２１】
洗浄槽４の収容凹部の底面に排水口４２が配設され、この排水口には切替弁４３が設けられている。この切替弁４３は、消毒液タンク１２と連通しており、選択的に弁を切り変えられることによって洗浄槽４の収容凹部に貯留された消毒液を消毒液タンク１２へ戻す。また、切替弁４３は、外部へ洗浄水、濯ぎ水などを排出するため、排水管４４ａを介して外部の排水口８２と連通している。切替弁４３と排水管４４ａの途中には、洗浄槽４の洗浄槽４の収容凹部４ａに貯留された洗浄水、濯ぎ水などを吸引して外部に送り出すための排水ポンプ４４が設けられている。また、洗浄槽４の排水口４２は、ＣＨブロック３１とも連通し、その途中にはバイパス弁４５が設けられている。  
消毒液タンク１２に貯溜されて所定の濃度に希釈された消毒液は、所定の消毒工程回数毎に交換される。消毒液の交換に際しては、消毒液タンク１２が消毒液ドレーン口４８と連通しており、消毒液が消毒液ドレーン口４８から外部へ排出される。
【００２２】
また、上述した、各種ポンプ、各種弁、各種機器などは、装置本体３の内部に設けられた制御回路４６によって各工程毎に制御されている。制御手段としての制御回路４６は、電源装置４７を介して外部のコンセント８１から電気ケーブルを介して電力が供給されている。
【００２３】
図３は、管路自動接続ユニット５の構成を説明するための部分斜視図である。内視鏡１０１の操作部１０３は、洗滌槽４内に突設された複数のピン４ａの間にセットされる。複数のピン４ａは、操作部１０３が複数にピン４ａの間に載置されたとき、洗滌槽４内の所定の位置に操作部３が配置されるようにするための位置決め手段である。すなわち、操作部１０３が複数にピン４ａの間に載置されたとき、複数のピン４ａは、操作部１０３を、装置本体２の筐体の一部である側壁２ａに対して、所定の位置に位置決めする。位置決めされた操作部１０３とは反対側である側壁２ａの外側には、管路自動接続ユニット５が設けられている。
【００２４】
管路自動接続ユニット５は、内部に密閉空間を有し、その密閉空間を形成する隔壁の一部に設けられた孔にシールされた状態で貫通する接続管部材（以下、単に接続管という）２０１の一部が配置されている。２つの接続管２０１が後述するアクチュエータによって移動されたときに、２つの接続管２０１のそれぞれの先端部が、洗滌槽４内に位置決めされたセットされた内視鏡１０１の２つのチャンネル口１０３ａにそれぞれ挿入可能な位置にくるように、２つの接続管２０１は管路自動接続ユニット５内に設けられている。２つの接続管２０１には、それぞれ装置本体２から洗滌液等を供給するための管部材２０２が接続されている。管部材２０２は、ＣＨ（チャンネル）弁３８に接続されている。２つの接続管２０１は、それぞれ操作部１０３の２つのチャンネル口１０３ａが設けられた面に対して略直交する方向に、移動可能となっている。２つの接続管２０１を移動させるために、各接続管２０１の基端部には、アクチュエータ２０３が接続されている。アクチュエータ２０３は、円柱形状の人工筋肉（ＥＰＡＭ）部材からなる。人工筋肉部材は、所定の電圧を印加することによって、所定の方向に伸張する部材である。アクチュエータ２０３は、管路自動接続ユニット５内において、一端部が固定され、制御回路４６からの制御信号の下、所定の電圧が印加されると、接続管２０１の先端部がチャンネル口１０３ａへ向けて移動するように他端部が伸びる。なお、人工筋肉（ＥＰＡＭ）部材は、単体でも、複数を束ねたものでもよい。
【００２５】
さらに、各接続管２０１が貫通する孔を有するシールガイド部材２０４が、管路自動接続ユニット５内に設けられている。シールガイド部材２０４は、管路自動接続ユニット５内の操作部１０３側の隔壁部に固定される。なお、シールガイド部材２０４は、密閉空間を形成する隔壁の一部であってもよいし、あるいは装置本体２の、操作部１０３側の筐体の側壁部の一部であってもよい。
【００２６】
シールガイド部材２０４の各接続管２０１が挿通する孔２０４ａには、各接続管２０１が軸方向に移動しても、管路自動接続ユニット５内の気密性を維持しながら各接続管２０１の外周面と摺動する円環状のシール部材２０４ｂが設けられている。言い換えると、接続管２０１は、シールガイド部材２０４の孔に挿通されているが、その孔には、円環状のシール部材２０４ｂが設けられている。
【００２７】
さらに、各接続管２０１と管路２０２の間には、弾性の管路、例えばゴム管２０２ａが介装されている。これは、装置本体２からの管路２０２が管路自動接続ユニット５の隔壁面の一部に固定された状態で、各接続管２０１が管路自動接続ユニット５の内部で移動しても、管路自動接続ユニット５内を気密に保持するためである。
【００２８】
なお、管路自動接続ユニット５の壁部を貫通して密閉空間から外部へ引き出される電気配線は、管路自動接続ユニット５の壁部において、ゴムブッシュ、シールボンドなどでシールされている。
【００２９】
また、管路自動接続ユニット５内の底面部には、水漏れを検知するための水漏れセンサ２０５が設けられている。これは、洗滌等が洗滌槽４内で行われているときに、シールガイド部材２０４に設けられたシール部材２０４ｂのシール性が失われて、洗滌液等が管路自動接続ユニット５内に浸入してきたときに、洗滌液等の水漏れを検出するためである。後述するように、水漏れセンサ２０５が洗滌液等の水漏れを検出すると、制御回路４６は、水漏れをユーザに知らせるために警告表示を行ったり、警告音を出したり、あるいは洗滌等のシーケンスを中止する等のエラー処理を実行する。
【００３０】
さらに、管路自動接続ユニット５の隔壁の内部圧力を大気圧よりも高く維持するために空気を、管路自動接続ユニット５内に供給するための管路２０６のノズルすなわち先端部が、隔壁内部に設けられている。管路２０６は、加圧弁４０に接続され、管路自動接続ユニット５内に空気を供給し、少なくとも洗滌槽４内に洗滌液等の液体が入っているときは、密閉空間内を洗滌槽４内部の圧力よりも高くなるようにする。その結果、シール部材２０４が破損等して、シール性が失われても、すぐに洗滌槽４から洗滌液等の液体が浸入してこないようになっている。
【００３１】
図４は、内視鏡１０１のチャンネル口１０３ａと２つの接続管２０１とを説明するための部分斜視図である。各接続管２０１の先端部は、先端部に向かうにつれて外径が小さくなり、先端が切り取られた円錐形状を有している。先端部の円錐形状部分に、チャンネル口１０３ａの内径に略等しい部分にパッキン２１１が設けられている。
【００３２】
図４においては、シールガイド部材２０４を省略し、シール部材２０４ｂのみを２点鎖線で示している。シール部材２０４ｂは、弾性部材、例えばゴム等からなり、シール部材２０４ｂの内周部が、接続管２０１の外周面に対して摺動可能な状態で密着する。
【００３３】
操作部１０３のチャンネル口１０３ａには、口金１０３ｂが設けられており、口金１０３ｂは、内視鏡１０１内のチャンネル１０４に接続されている。
【００３４】
パッキン２１１は、円環状の人工筋肉部材である。図５から図７は、アクチュエータ２０３とパッキン２１１の動作について説明するための図である。図５は、アクチュエータ２０３が伸張していない状態にある場合を示す図である。図６は、アクチュエータ２０３が伸張した状態で、パッキン２１１が外周方向に拡張した状態にある場合を示す図である。図７は、アクチュエータ２０３が伸張した状態で、パッキン２１１が外周方向に拡張していない状態にある場合を示す図である。なお、ここでは、チャンネル口１０３ａに口金１０３ｂが設けられている例で説明するが、口金１０３ｂはなくてもよい。
【００３５】
アクチュエータ２０３の一端は、管路自動接続ユニット５内において、管路自動接続ユニット５の内壁に対して固定部材５ａを介して固定されている。そして、上述したように、アクチュエータ２０３の他端は、接続管２０１の一端に固定されている。アクチュエータ２０３は、点線で示す電気的接続線２０３ａを介して所定の電圧が印加されると伸張し、接続管２０１の先端部を操作部１０３のチャンネル口１０３ａの方向へ移動させる。また、パッキン２１１も、点線で示す電気的接続線２１１ａを介して所定の電圧が印加されると、接続管２０１の軸方向に直交する放射方向に伸張する。
【００３６】
洗滌工程において、アクチュエータ２０３に所定の電圧が印加され、接続管２０１が図５に示す位置から図６に示す位置に移動する。その後、パッキン２１１に所定の電圧が印加され、パッキン２１１が外径方向に拡張する。図６に示す状態において、洗滌液が接続管２０１内を通ってチャンネル口１０３ａを介して内視鏡１０１のチャンネル内に供給されると、パッキン２１１は、口金１０３ｂに密着した状態となるため、内視鏡１０１の各種管路のチャンネル内が洗滌、消毒される。
【００３７】
また、パッキン２１１への所定の電圧の印加を停止すると、パッキン２１１は外径方向に拡張した状態から内径方向に縮小し、チャンネル口１０３ａと接続管２１１の外周面との間に隙間が生じる。図７に示すように、パッキン２１１が外径方向に拡張していない状態では、洗滌液等は、口金１０３ｂのチャンネル口１０３ａから、吹き出す。従って、図７の状態では、図６の状態において、パッキン２１１と接触する口金１０３ｂの内周面も洗滌、消毒することができる。
【００３８】
次に、内視鏡洗滌消毒装置１の電気的構成について説明する。図８は、内視鏡洗滌消毒装置１の概略構成を示すブロック図である。図９は、人工筋肉部材であるパッキン２１１を動作させるための回路を示すブロック図である。図１０は、洗滌消毒工程の処理の流れの例を示すフローチャートである。
【００３９】
図８に示すように、内視鏡洗滌消毒装置１の制御回路４６は、ＣＰＵ基板部３０１と、センサ等からの信号をＣＰＵ基板３０１へ中継する入力インターフェース部３０２と、アクチュエータ等へ出力信号を中継する出力インターフェース部３０３と、ＣＰＵ基板３０１と接続された操作スイッチ等を有する操作パネル３０４と、表示手段としてのＬＣＤ表示部３０５とを有する。操作パネル３０４とＬＣＤ表示部３０５は、図１には示していないが、例えば、内視鏡洗滌消毒装置１の筐体の外装表面に設けられている。
【００４０】
ＣＰＵ基板部３０１は、中央処理装置（ＣＰＵ）、ＲＯＭ、ＲＡＭ等のソフトウエアプログラムを実行するための各種回路を有する。後述する洗滌消毒シーケンスを実行するためのプログラムがＲＯＭに記録され、ＣＰＵがそのプログラムを実行する。入力インターフェース部３０２には、水漏れセンサ２０５等の各種センサからの信号が入力され、入力された信号をＣＰＵ基板部３０１において処理できる形態に変換する。出力インターフェース部３０３は、ＣＰＵ基板部３０１からの出力信号を、アクチュエータ２０３、パッキン２１１、コンプレッサ等への出力信号に変換する。
【００４１】
操作パネル３０４は、洗滌消毒作業を行うユーザが、洗滌開始等の指示を与えるための入力部である。ＬＣＤ表示部３０５は、ＣＰＵ基板部３０１が、ユーザが入力した指示内容、洗滌消毒処理を実行した結果を表示するための表示部である。
【００４２】
ユーザは、使用済みの内視鏡１０１を洗滌槽４内の複数のピン４ａの間にセットし、トップカバー３が閉じられた後に、操作パネル３０４の所定のスイッチを押すことによって、自動的に洗滌消毒処理が実行される。
【００４３】
図９は、人工筋肉部材であるパッキン２１１を動作させるための回路を示すブロック図である。図９に示すように、パッキン２１１は、高圧電源部３０６からの電圧が印加されるように、高圧電源部３０６に接続されている。高圧電源部３０６に、電源４７からの電力と、出力インターフェース部３０３を介してＣＰＵ基板部３０１からの制御信号とが入力される。よって、ＣＰＵ基板部３０１からの制御信号の下、高圧電源部３０６は、パッキン２１１へ所定の電圧を供給する。なお、アクチュエータ２０３を動作させるための回路構成も図９に示すブロック図と同様であるので、説明は省略する。
【００４４】
次に、図１０を用いて、ＣＰＵ基板部３０１が実行する洗滌消毒シーケンスにおける処理の流れについて説明する。操作パネル３０４の洗滌消毒処理開始を指示するスイッチが押されると、まず、各アクチュエータ２０３に所定の電圧を印加する（ステップ（以下Sと略）1）。これにより、接続管２０１は、チャンネル口１０３ａの方向へ移動し、図７に示す位置に配置される。続いて、パッキン２１１に所定の電圧を印加する（S2）。これにより、パッキン２１１は、外径方向に拡張し、図６に示す状態となり、接続管２０１と口金１０３ｂの間がシールされた状態となる。
【００４５】
なお、操作パネル３０４の洗滌消毒処理開始を指示するスイッチが押されると、ＣＰＵ基板部３０１は、常に水漏れセンサ２０５の出力を監視し、水漏れを示す信号を受信すると、上述したエラー処理を実行する。
【００４６】
続いて、洗滌工程が開始される（S3）。洗滌工程では、洗剤が洗剤タンク１１から洗剤ポンプ２７を介して供給され、ＣＰＵ基板部３０１からの所定の制御信号の下で、各種ポンプと弁が制御されて、さらに超音波振動子６とヒータ８も起動しながら、内視鏡１０１の外表面が、洗滌液で超音波洗滌される。同時に、チャンネル口１０３ａから内視鏡のチャンネル１０４内へ洗滌液が供給されて、チャンネル１０４内の洗滌が行われる。このとき、パッキン２１１は、予め決められたタイミングで、所定の電圧の印加が停止され、図７に示すように、接続管２０１と口金１０３ｂとの間に隙間が生じさせるように、外径方向に拡張した状態から内径方向に縮小した状態となる。図７に示す状態では、接続管２０１から噴出する洗滌液は、接続管２０１と口金１０３ｂの間の隙間から、矢印で示すように内視鏡１０１の外部へ流出することができるので、内視鏡１０１の口金１０３ｂが接続管２１１と接触する接触面も洗滌液によって洗滌される。図６の状態から図７の状態への変更、及び図７の状態から図６の状態への復帰のタイミングは、ＣＰＵ基板部３０１からのパッキン２１１への制御信号によって所定の回数、所定時間行われる。
【００４７】
以上のようにして、所定の洗滌工程が実行されると、洗滌工程を終了し、排水を行う（S4）。排水口４２からの排水は、切替弁４３と排水ポンプ４４を制御することによって行われる。
【００４８】
続いて、消毒工程が開始される（S5）。消毒工程では、消毒液が消毒液タンク１２から薬液ポンプ２８を介して供給され、ＣＰＵ基板部３０１からの所定の制御信号の下で、各種ポンプと弁が制御されて、内視鏡１０１の外表面を、消毒液で消毒される。同時に、チャンネル口１０３ａから内視鏡１０１のチャンネル１０４内へ消毒液が供給されて、チャンネル１０４内の消毒が行われる。このとき、パッキン２１１は、洗滌工程と同様に、予め決められたタイミングで、所定の電圧の印加が停止され、図７に示すように、接続管２０１と口金１０３ｂとの間に隙間が生じさせるように、外径方向に拡張した状態から内径方向に縮小した状態となる。図７に示す状態では、接続管２０１から噴出する消毒液は、接続管２０１と口金１０３ｂの間の隙間から、内視鏡１０１の外部へ流出することができるので、内視鏡１０１の口金１０３ｂが接続管２１１と接触する接触面も消毒液によって消毒される。図６の状態から図７の状態への変更は、ＣＰＵ基板部３０１からの制御信号によって所定の回数、所定時間行われる。なお、消毒工程において、ヒータ８により、消毒液を加温するようにしてもよい。
【００４９】
さらに、規定時間だけ浸漬を行う消毒工程が行われる（S6）。  
以上のようにして、所定の消毒工程が実行されると、消毒工程を終了し、消毒液の回収を行う（S7）。消毒液の回収は、切替弁４３を制御することによって行われる。
【００５０】
続いて、濯ぎ工程が開始される（S8）。濯ぎ工程では、水道栓８０から逆止弁６ａを介して給水管路消毒用コネクタ６Ａから、水道水が洗滌槽４内に供給される。供給された水道水は、給水・循環ノズル２４が三方切替弁２９を介して流液ポンプ３０に接続された状態において、循環口２１から取り入れられ、循環される。同時に、チャンネル口１０３ａから内視鏡１０１のチャンネル１０４内へ循環水が供給されて、チャンネル１０４内の濯ぎが行われる。このときも、図６の状態から図７の状態への変更、及び図７の状態から図６の状態への復帰が、ＣＰＵ基板部３０１からのパッキン２１１への制御信号によって所定の回数、所定時間行われる。
【００５１】
この濯ぎ工程は、給水、濯ぎ及び排水を１回として、所定の回数（Ｎ回）行われる。  
以上のようにして、所定の回数だけ、濯ぎ工程が実行されると、濯ぎ工程を終了する（S9）。
【００５２】
その後、送気工程を実行する（S10）。送気工程は、内視鏡１０１のチャンネル１０４内に空気を送り、チャンネル１０４内を乾燥させるものである。従って、コンプレッサ３４を規定時間だけ動作させ、空気がコンプレッサ３４からエアフィルタ１５、チャンネルブロック３１を介して接続管２０１から内視鏡１０１のチャンネル１０４内に供給される。
【００５３】
送気工程が終了すると、コンプレッサ３４は停止され、次に、アルコールフラッシュ工程が実行される（S11）。アルコールフラッシュ工程では、アルコールポンプ１３Ａを所定時間だけ起動させ、内視鏡１０１のチャンネル１０４内にアルコールを送る。アルコールポンプ１３Ａは、所定時間経過後停止される。
【００５４】
最後に、アクチュエータ２０３への所定の電圧印加を停止する（S12）ことによって、アクチュエータ２０３は、伸張状態から元の状態に戻り、接続管２０１は、図５に示す状態に戻る。
【００５５】
以上のように、本実施の形態によれば、使用済みの内視鏡１０１の内部に設けられた各種チャンネル内は、確実に洗滌、消毒等される。
【００５６】
次に、アクチュエータの変形例を説明する。図１１と図１２は、第１の実施の形態に係わるアクチュエータの変形例を説明するための斜視図である。上述した例では、アクチュエータ２０３は、人工筋肉部材を利用していたが、本変形例では、ラックアンドピニオン機構を利用する。
【００５７】
図１１に示すように、本変形例では、管路自動接続ユニット５内には、アクチュエータとして、モータ４０１がそれぞれの接続管２０１に対応して設けられている。モータ４０１の軸には、歯車４０２が設けられている。接続管２１１の外表面部には、軸方向に沿って設けられた複数の歯からなる歯部４０３が設けられている。歯車４０２の歯と、歯部４０３の歯が歯合するように、モータ４０１の歯車４０２と接続管２１１は位置決めされて配置されている。
【００５８】
従って、ＣＰＵ基板部３０１は、上述したアクチュエータ２０３への所定の電圧印加に代えて、モータ４０１を所定の量だけ回転させるように駆動信号をモータ４０１へ供給すると、接続管２１１が図６に示すような位置になるまで、口金１０３ｂに向けて移動する。図１２は、モータ４０１が所定の量だけ回転して、接続管２１１が図６に示す位置まで移動した状態を示す。図１１において、矢印Ｙ１で示す方向にモータ４０１の軸に取り付けられた歯車４０２が回転すると、接続管２１１は矢印Ｙ２で示す方向に移動する。
【００５９】
そして、上述したアクチュエータ２０３への所定の電圧印加の停止に代えて、モータ４０１を所定の量だけ逆回転させるように駆動信号をモータ４０１へ供給することによって、接続管２１１を、図５で示す元の位置に戻すことができる。
【００６０】
従って、本変形例によっても、上述した第１の実施の形態と同様に、内視鏡１０１の洗滌及び消毒を行うことができる。
【００６１】
以上のように、第１の実施の形態に係る内視鏡洗滌消毒装置によれば、セットされた内視鏡の各種チャンネルに洗浄液等を供給する接続管を確実に密着状態にして、洗浄液等を各種チャンネルへ供給することができる。さらに、パッキンとアクチュエータに人口筋肉部材を用いると機械的動作部が少なくなるので、故障等の発生率も減少する。さらにまた、管路自動接続ユニット５内には水漏れセンサが設けられ、かつ管路自動接続ユニット５内は加圧されているので、同様に故障等の発生率はさらに減少する。
【００６２】
（第２の実施の形態）  
図１３から図１５を用いて、本発明の第２の実施の形態に係る内視鏡洗滌消毒装置を説明する。なお、第１の実施の形態と異なるのは、パッキン２１１を、内視鏡１０１内に設けた点である。従って、第１の実施の形態と同じ構成要素については、同じ符号を付し説明は省略する。
【００６３】
図１３と図１４は、内視鏡１０１の操作部１０３内にパッキン２１１が設けられ、チャンネル口１０３ａと接続管２０１とのシール状態を説明するための部分断面図である。図１３は、接続管２０１がアクチュエータによってチャンネル口１０３ａに挿入され、人口筋肉部材であるパッキンが伸張して、結果としてパッキン２１１の内径が小さくなり、接続管２０１とチャンネル口１０３ａとの間がシールされた状態を示す。図１４は、接続管２０１がアクチュエータによってチャンネル口１０３ａに挿入され、パッキン２１１が伸張しないで、結果としてパッキン２１１の内径が大きくなり、接続管２０１とチャンネル口１０３ａとの間に隙間が生じている状態を示す。
【００６４】
円環状のパッキン２１１は、チャンネル口１０３ａ近傍のチャンネル内壁に形成された周溝１０３ｃ内に設けられる。パッキン２１１へ所定の電圧を印加すると、パッキン２１１は、拡径方向に伸びるが、周溝１０３ｃによって外径方向への変形が規制されているため、結果として内径が小さくなる方向に変形する。これによって、第１の実施の形態と同様に、パッキン２１１への所定の電圧印加を制御することによって、接続管２０１とチャンネル口１０３ａとの間がシールされた状態とシールされていない状態の２つの状態にすることができる。
【００６５】
このとき、洗滌槽４内にセットされた内視鏡１０１に電源が供給されるようにするために、内視鏡洗滌消毒装置１と内視鏡１０１には、内視鏡洗滌消毒装置１から内視鏡１０１へ電力を供給する回路手段が、それぞれ設けられる。
【００６６】
図１５は、内視鏡洗滌消毒装置１の電気的構成を示すブロック図である。図１５に示すように、ＣＰＵ基板部３１には、非接触電源送受信部３０６が接続されている。非接触電源送受信部３０６はさらに送受信コイル３０７が接続されている。一方、内視鏡１０１には、例えば操作部１０３内に、送受信コイル３０８が設けられており、内視鏡洗滌消毒装置１の送受信コイル３０７からの電磁波を受信し、受信した電磁波に基づいて、所定の電圧を発生させる。
【００６７】
送受信コイル３０８において発生した電圧は、上述したパッキン２１１に対して印加する所定の電圧を生成するための電源として利用される。
【００６８】
ＣＰＵ基板部３０１は、上述した洗滌消毒工程において、所定のタイミングで非接触電源送受信部３０６へ制御信号を送信することによって、パッキン２１１を伸張させることができる。よって、ＣＰＵ基板部３０１は、第１の実施の形態と同様に、接続管２０１とチャンネル口１０３ａとの間を、シールされた状態とシールされていない状態の２つの状態をすることができる。
【００６９】
従って、第２の実施の形態によっても、上述した第１の実施の形態と同様に、内視鏡１０１の洗滌及び消毒を行うことができる。
【００７０】
以上のように、第２の実施の形態に係る内視鏡洗滌消毒装置によれば、第１の実施の形態と同様に、セットされた内視鏡の各種チャンネルに洗浄液等を供給する接続管を確実に密着状態にして、洗浄液等を各種チャンネルへ供給することができる。
【００７１】
本発明は、上述した２つの実施の形態に限定されるものではなく、本発明の要旨を変えない範囲において、種々の変更、改変等が可能である。
【図面の簡単な説明】
【００７２】
【図１】本発明の第１の実施の形態に係わる内視鏡洗滌消毒装置の斜視図である。
【図２】本発明の第１の実施の形態に係わる内視鏡洗浄消毒装置の構成を模式的に示す構成図である。
【図３】第１の実施の形態に係わる管路自動接続ユニットの構成を説明するための部分斜視図である。
【図４】第１の実施の形態における内視鏡のチャンネル口と２つの接続管とを説明するための部分斜視図である。
【図５】第１の実施の形態に係わるアクチュエータが伸張していない状態にある場合を示す図である。
【図６】第１の実施の形態に係わるアクチュエータが伸張した状態で、パッキンが外周方向に拡張した状態にある場合を示す図である。
【図７】第１の実施の形態に係わるアクチュエータが伸張した状態で、パッキンが外周方向に拡張していない状態にある場合を示す図である。
【図８】第１の実施の形態に係わる内視鏡洗滌消毒装置の概略構成を示すブロック図である。
【図９】第１の実施の形態に係わる人工筋肉部材であるパッキンを動作させるための回路を示すブロック図である。
【図１０】第１の実施の形態に係わる洗滌消毒工程の処理の流れの例を示すフローチャートである。
【図１１】第１の実施の形態に係わるアクチュエータの変形例を説明するための斜視図である。
【図１２】第１の実施の形態に係わるアクチュエータの変形例を説明するための斜視図である。
【図１３】第２の実施の形態における、チャンネル口と接続管とのシール状態を説明するための部分断面図である。
【図１４】第２の実施の形態における、チャンネル口と接続管とのシール状態を説明するための部分断面図である。
【図１５】第２の実施の形態に係る内視鏡洗滌消毒装置の電気的構成を示すブロック図である。
【符号の説明】
【００７３】
１  内視鏡洗滌消毒装置、５  管路自動接続ユニット、１０１  内視鏡、１０３  操作部、１０３ａ  チャンネル口、１０３ｂ  口金、１０４  チャンネル、２０１接続管、２０３  アクチュエータ、２０４ｂ  シール部材、２１１  パッキン
代理人    弁理士    伊  藤    進
【図１】
2006006565.tif 000003
【図２】
2006006565.tif 000004
【図３】
2006006565.tif 000005
【図４】
2006006565.tif 000006
【図５】
2006006565.tif 000007
【図６】
2006006565.tif 000008
【図７】
2006006565.tif 000009
【図８】
2006006565.tif 000010
【図９】
2006006565.tif 000011
【図１０】
2006006565.tif 000012
【図１１】
2006006565.tif 000013
【図１２】
2006006565.tif 000014
【図１３】
2006006565.tif 000015
【図１４】
2006006565.tif 000016
【図１５】
2006006565.tif 000017